(57)【要約】  【課題】  病院内など、利用者に対し食事制限が行われる状況における自動販売機での販売方法を提供する。  【解決手段】  自動販売機９に患者ＩＤが記録されたＩＣカード１２（図示せず）を差込んだ後、自動販売機９において商品選択を行うと、自動販売機９は、該当商品番号とＩＣカードに記録されている患者ＩＤを医療用管理サーバ１１に送る。この情報を受信した医療管理サーバ１１は、商品情報ＤＢ３０１より該当する商品の成分情報を抽出すると共に、個人情報ＤＢ３０２から受信した患者ＩＤに対応する患者の過去の成分ごとの摂取情報・摂取限界量を抽出し、摂取後許容範囲を超えるかを成分毎に確認し、超えていれば、販売拒否通知を自動販売機９へ送信し、超えていなければ個人の過去の摂取情報を更新した後、販売を許可する通知を自動販売機へ送信する。  【選択図】  図１
2005100158.tif 000002
【特許請求の範囲】
【請求項１】
自動販売機で販売される商品の成分情報を記憶する成分情報記憶手段と、各個人ごとに決められた該成分に対する摂取限界量を記憶する個人情報記憶手段とを有するコンピュータシステムが、
自動販売機で取得した利用者の個人情報と利用者が選択した商品情報を受信する受信ステップと、
前記受信ステップにて受信した個人情報を前記個人情報記憶手段から読み出すとともに、前記受信ステップにて受信した成分情報を基に、前記成分情報記憶手段から該当商品の成分情報を読み出す読み出しステップと、
前記読み出しステップにて読み出された個人情報及び成分情報を基に自動販売機における商品排出の可否を判断し、自動販売機へ判断結果を通知する判断ステップと
を実行する事を特徴とする販売管理方法
【請求項２】
前記個人情報記憶手段はさらに、各個人情報として過去の各成分における摂取情報を記憶しており、
前記コンピュータシステムは、
前記判断ステップにおいて、該個人情報のうち過去の摂取情報と商品の成分情報とを加算した値が、いずれも該個人情報含まれる摂取限界量に達していないとき、前記加算した値を過去の摂取情報として、該個人情報の更新を行うとともに商品排出を許可し、達していれば商品排出を許可しない
事を特徴とする請求項１に記載の販売管理方法。
【請求項３】
前記コンピュータシステムは更に、時刻情報を出力するタイマを有し、
更に前記コンピュータシステムは、
前記タイマによる時刻情報が所定の時刻情報である場合、前記個人情報の過去の各成分の摂取量情報を０に戻す処理を行う事を特徴とする請求項２に記載の販売管理方法。
【請求項４】
自動販売機で販売される商品の成分情報を記憶する成分情報記憶手段と、
各個人ごとに決められた該成分に対する摂取限界量を記憶する個人情報記憶手段と、
自動販売機で取得した利用者の個人情報と利用者が選択した商品情報を受信する受信手段と、
前記受信手段が受信した個人情報を前記個人情報記憶手段から読み出すとともに、前記受信ステップにて受信した成分情報を基に、前記成分情報記憶手段から該当商品の成分情報を読み出す読み出し手段と、
前記読み出しステップにて読み出された個人情報及び成分情報を基に自動販売機における商品排出の可否を判断し、自動販売機へ判断結果を通知する制御手段と
を有する事を特徴とする自動販売機システム
【請求項５】
自動販売機で販売される商品の成分情報を記憶する成分情報記憶手段と、各個人ごとに決められた該成分に対する摂取限界量を記憶する個人情報記憶手段とを有するコンピュータを、
自動販売機で取得した利用者の個人情報と利用者が選択した商品情報を受信する受信手段と、
前記受信手段が受信した個人情報を前記個人情報記憶手段から読み出すとともに、前記受信ステップにて受信した成分情報を基に、前記成分情報記憶手段から該当商品の成分情報を読み出す読み出し手段と、
前記読み出しステップにて読み出された個人情報及び成分情報を基に自動販売機における商品排出の可否を判断し、自動販売機へ判断結果を通知する制御手段と
して機能させるプログラム。
【発明の詳細な説明】
【技術分野】
【０００１】
本発明は、医療機関システムと連携した販売システム・方法及びプログラムに関するものである。
【背景技術】
【０００２】
従来、病院などで入院患者に対し、担当医師が食事制限を行う場合、病院食の調理を行う部門に患者に対する食事制限情報を送り、該部門の担当者が、各患者に対し、食事制限に応じた食事の準備を行っている。
【０００３】
しかしながら、近年、病院内にも、各種自動販売機が設置されるようになり、病院食以外の飲料・食料やタバコ等が販売されるようになり、患者の食事制限を病院食のみで管理しても、患者が自動販売機で購入したものを別途引用・食用・喫煙などを行ってしまえるため、食事制限が不完全となっていた。
【０００４】
これに対応するため、先行技術文献１で示されるように、各患者に持たせるＩＣカード内に病気情報を記憶しておき、自動販売機に病気情報と販売可否情報との対応テーブルをとＩＣカードリーダを設け、患者がＩＣカードリーダを差し込み、商品を選択した際、自動販売機は、対応テーブルを参照し、該当商品がＩＣカードに記録されている病気情報で販売の可否判断を行い、販売してよいものであれば、該当商品の排出処理を行い、販売できないと判定した場合は該当商品の排出処理を行わない、とするものが考えられていた。
【特許文献１】特開平９−３２６０６６号公報
【発明の開示】
【発明が解決しようとする課題】
【０００５】
しかしながら、実際には制限量以下であれば、飲んでもいい飲料・食品や、逆に、許可はされているが、飲みすぎ（食べ過ぎ）てはいけない飲料（食品）があるが、上記従来の技術では、ある病気に対して販売してはいけない商品を決定しているだけであり、そのような管理ができない。
【０００６】
本発明は、このような点に鑑み、摂取量が所定以下であれば販売を許可することができる自動販売システムを提供する事を目的とする。
【課題を解決するための手段】
【０００７】
本発明は、上記従来の課題を解決するために、自動販売機で販売される商品の成分情報を記憶する成分情報記憶手段と、各個人ごとに決められた該成分に対する摂取限界量を記憶する個人情報記憶手段と、自動販売機で取得した利用者の個人情報と利用者が選択した商品情報を受信する受信手段と、前記受信手段が受信した個人情報を前記個人情報記憶手段から読み出すとともに、前記受信ステップにて受信した成分情報を基に、前記成分情報記憶手段から該当商品の成分情報を読み出す読み出し手段と、前記読み出しステップにて読み出された個人情報及び成分情報を基に自動販売機における商品排出の可否を判断し、自動販売機へ判断結果を通知する制御手段とを有したものであり、これにより、商品単位での販売可否でなく、各成分の許容範囲で、商品の販売の可否が決定されるようになる。
【発明の効果】
【０００８】
以上の様に、本発明によれば、制限されている成分情報が、購入希望する商品の成分で許容範囲を超えるか否かを基に商品の排出の可否を決定しているので、患者の食事制限の枠を越えることなく、かつ、患者は、制限量まで飲料・食品等を行う事ができるようになり、従来より制限食品（飲料）をへらし、患者の精神的負担を減らす事ができるようになる。
【発明を実施するための最良の形態】
【０００９】
以下、本発明の実施の形態について説明する。
【００１０】
まず、本実施の形態における自動販売機システムのシステム構成について、図１のシステム構成図を基に説明する。
【００１１】
図１において、１は病院内に配置されたＬＡＮ（Ｌｏｃａｌ  Ａｒｅａ  Ｎｅｔｗｏｒｋ）（以下院内ＬＡＮ）である。２はインターネットなどの外部ネットワーク、３は院内ＬＡＮと外部ネットワークの間に設けられたゲートウエイである。院内ＬＡＮ１に接続された各種機器が外部ネットワークを経由したアクセスをおこなう場合、このゲートウエイ３を経由して外部ネットワークへ接続されるようになっている。
【００１２】
４は、クレジット会社が所有するクレジット自動決済サーバであり、外部ネットワーク２に接続され、外部ネットワーク２経由で到来するクレジット決済依頼情報を基に決済処理を行う。５は、医師が医療現場で使用する医師用端末であり、カードリーダ６が接続されている。また、７は病院の受付担当者が使用する受付端末であり、この受付端末７にもカードリーダ８が接続されている。また、医師用端末５、受付端末７はともに、院内ＬＡＮ１に接続されている。
【００１３】
９は飲料用の自動販売機であり、１０はタバコ用の自動販売機である。これらの自動販売機９，１０は、図２の外観図に示すように、商品窓１０１、商品選択ボタン１０２、商品取出し口１０３の他にカードリーダ１０４、情報表示用のディスプレイ１０５が設けられている。
【００１４】
また、図３の外観図に示されるように、この表面パネル１０６は商品入れ替えができるように本体１０７に対し、開閉が可能となっている。カードリーダ１０４が読み取った情報に対する処理、ディスプレイ１０５の表示制御は、本体に内蔵されたシステムにより行われるため、カードリーダ１０４・ディスプレイ１０５はそれぞれケーブル１０８・１０９によって本体１０７に接続されている。また、本体１０７には、商品蓄積部１１０、自動販売機の管理者操作部１１１、ハンディターミナル２０１（後述）を接続するためのコネクタ１１２が設けられている。
【００１５】
図４は、この自動販売機９，１０における制御部分を示したブロック図である。自動販売機内に自動販売機制御手段１１３を有し、該自動販売機制御手段１１３が、商品選択部１０２からの選択情報に基づく制御、カードリーダ１０４で読まれた情報の処理・ディスプレイ１０５の表示処理、コネクタ１１２に接続されたハンディターミナル２０１との通信制御、管理者操作部１１１のディスプレイ１１４の表示制御・同じく管理者操作部１１１のキーボード１１５から入力された情報に応じた制御を行う。更に自動販売機９，１０には、それぞれ、院内ＬＡＮに接続された通信制御手段１１６が設置されており、該自動販売機制御手段１１３は、この通信制御手段１１６を制御して院内ＬＡＮ１を利用した通信を行う。
【００１６】
また、１１７は、自動販売機９，１０における商品排出機構部で、自動販売機制御手段１１３の指示に応じて商品を排出する。さらに、１１８は自動販売機９にストックされている商品の成分情報を記憶している成分情報記憶手段である。
【００１７】
上記説明でも若干触れたが、この自動販売機９，１０には商品管理者が使用するハンディターミナル２０１を接続するコネクタ１１２を有しており、商品管理者がハンディターミナル２０１を該コネクタに接続した後、ハンディターミナル２０１を操作する事で、自動販売機制御手段１１３と通信を行い、自動販売機制御手段１１３と間で各種情報の交換を行う。
【００１８】
このとき使用されるハンディターミナル２０１は、図５の外観図に示されるように、ディスプレイ２０２、キーボード２０３及びアダプタ２０４とが設けられ、図６に示されるように、コネクタ１１２とアダプタ２０４とを接続できるようになっている。
【００１９】
このターミナルアダプタ２０１のブロック図を図７に示す。この図にも示されるように、ハンディターミナル２０１の各部（ディスプレイ２０２、キーボード２０３及びアダプタ２０４）はハンディターミナル制御手段２０５に接続されており、加えて同じくハンディターミナル制御手段に接続され、各種商品情報を記憶している商品情報記憶手段２０６がハンディターミナル内に設置されている。
【００２０】
この商品情報記憶手段２０６に記憶されている商品情報を図８のテーブル図に示す。
【００２１】
図８に示されるように、商品情報記憶手段２０６には商品名２５１ごとに商品コード２５２が付され、それぞれの商品について、糖分・塩分・アルコール成分・炭酸成分・その他刺激物の有無・カロリー・化学調味料の成分情報２５３の情報が記憶されている。
【００２２】
図1に戻り、１１は、病院内に設置され、医療関連の情報を管理している医療管理サーバであり、院内ＬＡＮ１に接続され、院内ＬＡＮ１に接続されている自動販売機９，１０が販売している商品の情報を記憶している商品情報データベース３０１、患者の個人情報を記憶する個人情報データベース３０２、医療用管理サーバの各種制御を行う制御手段３０３、院内ＬＡＮ１を経由した通信を行う通信手段３０４、時刻情報を出力するタイマ３０５を備えている。
【００２３】
また、本実施の形態では、患者個人単位でＩＣカード１２を持つ事を前提としている。このＩＣカード１２は、図９に示されるように、磁気記録部４０１・ＩＣ記録部４０２を有しており、これらの中記録部の双方に個人情報が記録されており、本実施の形態で示している核カードリーダは、この記憶部のいずれかもしくは双方の情報を読み取る事で個人情報を取得するようになっている。
【００２４】
以上の様に構成された自動販売機システムについて、以下、その動作を説明する。
【００２５】
まず、ハンディターミナル２０１の商品情報を、自動販売機９・１０及び医療管理サーバ１１が記憶させる処理について、図１０のフローチャートを基に説明する。なお、説明の便宜上、自動販売機９についてのみ説明するが、自動販売機１０に付いても同様の処理が行われる事は言うまでもない。
【００２６】
また、本動作は、自動販売機９の管理者が、自動販売機９の表面パネル部１０６を開あけた後、ハンディターミナル２０１のアダプタ２０４と自動販売機を接続した際に行われるものとする。
【００２７】
まず管理者が、ハンディターミナル２０１のキーボード２０３を操作して、なんらかのコードを入力すると（Ｓ１００１）、ハンディターミナル制御手段２０５は、入力されたコードが商品情報を記憶させる制御を示すコードかを判断し（Ｓ１００２）、もし他のコードであれば、その他の処理へ移行する（Ｓ１００３）。
またＳ１００２において、ハンディターミナル制御手段２０５は、入力されたコードが商品情報を記憶させる制御を示すコードであると判断したとき、図１１に示す画面のように、ディスプレイ２０２に商品情報を自動販売機システムに記憶させる事を示す表示及び対象商品コード入力を待ち受ける事を示す表示を行う（Ｓ１００４）。
【００２８】
ここで、管理者がキーボード２０３を使って商品コードを入力すると（Ｓ１００５）、図１２に示すように、自動販売機９のストック番号を入力示唆する表示が行われる（Ｓ１００６）。自動販売機９では複数の商品が自動販売されるため、商品毎にストックしておく位置を分けておき、商品選択ボタン１０２が押下されると対応した商品のストック位置から商品を排出する必要がある。このため、自動販売機９では、ストック位置ごとにストック番号を決めておき、商品排出の際、そのストック番号を基に排出制御を行うようにしている。ここでは、このストック番号を入力する示唆を行う表示を行っている。
【００２９】
ここで管理者がキーボード２０３を操作し、ストック番号の入力を行うと（Ｓ１００７）、これに応じてハンディターミナル制御手段２０５は、商品情報記憶手段２０６より対象商品コードの成分情報を抽出し（Ｓ１００８）、入力されたストック番号の情報とともに、アダプタ２０４−コネクタ１１２を経由して自動販売機９へ送信を行う（Ｓ１００９）。この情報を受信した自動販売機９の自動販売機制御手段は（Ｓ１０１０）、成分情報記憶手段１１８に記憶されている成分情報のうち、受信したストック番号の成分情報を同じく受信した成分情報に更新する（Ｓ１０１１）。
【００３０】
その後、自動販売機制御手段１１３は、通信制御手段１１６を制御し、該受信した情報を院内ＬＡＮを経由して医療管理サーバ１１へ送信する（Ｓ１０１２）。
【００３１】
この情報を通信手段３０４を介して受信した医療管理サーバ１１の制御手段３０３は（Ｓ１０１３）、該情報を基に商品情報データベース３０１を更新する（Ｓ１０１４）。
【００３２】
このようにして更新された自動販売機９の成分情報記憶手段１１８及び商品情報データベース３０１に記憶されている情報の例を図１３のテーブル５０１に示す。この様にストック番号毎に対象商品の成分情報が記憶される事になる。
【００３３】
医療管理サーバ１１の制御手段は、Ｓ１０１３の更新処理が完了すると、通信手段３０４を制御し、院内ＬＡＮ１を経由して、この更新が終了した事を示す情報を自動販売機９へ送信する（Ｓ１０１５）。
【００３４】
この情報を、通信制御手段１１６を介して受信した自動販売機９の自動販売機制御手段１１３は（Ｓ１０１６）、コネクタ１１２−アダプタ２０４を介して、更新処理が終了した事を示す情報をハンディターミナル２０１へ送信する（Ｓ１０１７）。
【００３５】
この更新終了情報を受信したハンディターミナル２０１のハンディターミナル制御手段２０５は（Ｓ１０１８）、ディスプレイ２０２に図１４に示すような更新処理完了画面を表示し（Ｓ１０１９）、処理を完了する。
【００３６】
この様にする事で、自動販売機の各ストック位置にストックされた商品の成分情報が、そのストック番号に対応して自動販売機９・医療管理サーバ１１に記憶される事になる。
【００３７】
なお、上記説明ではジュース用自動販売機である自動販売機９を例にしたため、その成分情報は飲料に関わる成分情報が自動販売機９・医療管理サーバ１１に記憶されるが、タバコ用の自動販売機である自動販売機１０では、図１３のテーブル５０２に示す様に、タバコに関する成分情報（１本あたりのニコチン量・タール量、及び人は小当たりの本数）が記憶されることとなる。なお、上記したように記憶の手順自体は自動販売機９での記憶手順と同じであるためその詳細な説明は省略する。
【００３８】
次に、図１５に示すフローチャートを用い、ＩＣカードへの患者の個人情報書き込み及び医療管理サーバへの患者情報の登録処理について説明する。
【００３９】
まず、受付端末７は、一連の処理中に、カードリーダ８にＩＣカード１２が差し込まれたかの検出処理を定期的にチェックし（Ｓ２００１）、カード差し込みが検出さなければ（Ｓ２００２）、他の処理へ移行するよう処理を行っている（Ｓ２００３）。
【００４０】
ここで、受付端末７が、カードリーダ８にＩＣカードが差し込まれた事を検出すると（Ｓ２００２）、図１６に示す画面の様に、個人情報の入力を示唆する画面情報を表示する（Ｓ２００４）。
【００４１】
ここで、受付担当者が受付端末７に患者の個人情報を入力すると（Ｓ２００５）、受付端末７は、この入力された個人情報を、院内ＬＡＮ１を経由して医療管理サーバ１１へ送信する（Ｓ２００６）。
【００４２】
この情報を通信手段３０４経由で受信した医療管理サーバ４４の制御手段３０３は（Ｓ２００７）、送られてきた個人情報に記入漏れがないかチェックし（Ｓ２００８）、なければ（Ｓ２００９）、この個人情報に個人ＩＤを付し、個人情報データベース３０２に該個人情報を登録する（Ｓ２０１０）。
【００４３】
この登録が完了すると、制御手段３０３は、通信手段３０４を制御し、院内ＬＡＮ１を経由して、受付端末７に対し、付与した個人ＩＤ情報及び個人情報の登録が完了した事を示す情報を送信する（Ｓ２０１１）。
【００４４】
この情報を受信した受付端末７は（Ｓ２０１２）、図１７に示すように、個人ＩＤ情報及び登録が終了した事を示す画面を表示した後（Ｓ２０１３）、個人ＩＤ情報をＩＣカードへ書き込む処理を行う（Ｓ２０１４）。この際、磁気記録部４０１・ＩＣ記録部４０２の双方に書き込みが行う処理を行う。
この書き込みが終了すると受付端末は、他の処理へ移行する（Ｓ２０１５）。
【００４５】
なお、医療管理サーバ１１の制御手段は、Ｓ２００８のチェック処理の結果、記載内容に不備があると判断した場合（Ｓ２００８）、通信手段３０４を制御し、院内ＬＡＮ１を経由して、受付端末７に対し、登録情報にエラーがあることを示す情報を送信する（図１８：Ｓ２０１６）。
【００４６】
この情報を受信した受付端末７は（Ｓ２０１７）、図１９に示すように、エラー及び、再入力するか否かの選択を示唆する画面を表示する（Ｓ２０１８）。
【００４７】
ここで、受付担当者が受付端末に入力を行うと（Ｓ２０１９）、その受付端末７は、その入力が再入力を行う事を選択する事を意味する入力であるか判定し（Ｓ２０２０）、再入力を意味する入力でなければ他の処理へ移行し（Ｓ２０２１）、再入力を意味する入力であれば、Ｓ２００４へ移行、即ち、個人入力を再度入力する一連の処理を再度行う事となる。
【００４８】
この様にして、患者情報はＩＣカードへ書き込まれるが、Ｓ２０１３のＩＣカード書き込み処理で、図２０に示されるような情報がＩＣカードに記憶される。
即ち、氏名・健康保険番号・クレジット番号といった受付端末で入力された情報に加え、患者ＩＤが記録される。また、各項目ごとに情報読み出し（リード）を許可できる端末の限定・同じく書き込みライト）を許可できる端末の限定を行うためのセキュリティ情報が記憶される。
【００４９】
また、それ以外は情報がないが、これは、その他の端末で自由に記録・読み出しできる領域である。
【００５０】
この様に読み出し・書き込みに対するセキュリティをつけることで、ＩＣカードの不正改ざん・不正コピーの防止を図る事ができる。
【００５１】
次に、医師が患者の診断結果及び該患者の制限食事情報を医師用端末５に入力し、その結果を医療管理サーバ１１に患者情報として記憶する処理について図２１のフローチャートを基に説明する。
【００５２】
まず、医師用端末５は、一連の処理中に、カードリーダ６にＩＣカード１２が差し込まれたかの検出処理を定期的にチェックし（Ｓ３００１）、カード差し込みが検出さなければ（Ｓ３００２）、他の処理へ移行するよう処理を行っている（Ｓ３００３）。
【００５３】
ここで、受付端末７が、カードリーダ８にＩＣカードが差し込まれた事を検出すると（Ｓ３００２）、図２２に示す画面の様に、個人情報の入力を示唆する画面情報を表示する（Ｓ３００４）。なお、図２１ではアンダーライン部分が入力領域である。
【００５４】
ここで、医師が医師用端末５に対し、対応する項目それぞれに入力を行う（Ｓ３００５）。ここでは図２１に示されるように、疾病名以外に各食事成分ごとに１日の摂取限界量を入力する事となる。
【００５５】
この入力が完了すると、ＩＣカード１２に記憶されている患者ＩＤをカードリーダ６と医師用端末５により入力された情報（以下これらをカルテ情報）とともに医療管理サーバ１１へ送信する（Ｓ３００６）。
【００５６】
この情報を通信手段３０４経由で受信した医療管理サーバ４４の制御手段３０３は（Ｓ３００７）、送られてきたカルテ情報に記入漏れがないかチェックし（Ｓ３００８）、なければ（Ｓ３００９）、このカルテ情報に含まれる患者ＩＤの個人情報に対応する個人情報データベース３０２の患者情報を更新する（Ｓ３０１０）。
【００５７】
この様にして更新記憶された情報の例を図２３に示す。この図に示すように個人情報データベース３０２には個人ＩＤごとに氏名・健康保険番号などの基礎情報及びかかった科・担当医・及び疾病名の各情報及び１日の成分ごとの摂取限界量が記憶される事となる。
【００５８】
また、患者は、複数の科にまたがって受診している場合もあるため、（１）（２）などの識別子を設け、複数の科での受診情報を記憶できるようにしてある。
【００５９】
なお、本実施の形態では、食事制限のための各項目について医師が、医師用端末５より入力を行うようにしたが、病名によってある程度食事制限の状態は決まってくるので、医療管理サーバ１１に病名とその病名に基づく制限食事情報を対にして記憶するようにしておき、医師用端末５から入力されるカルテ情報に含まれる病名情報に対応した制限食事情報を抽出させるようにしても良い。これにより、医師は病名を入れるだけで、自動的にその患者の食事制限情報が記憶される事となる。
【００６０】
この様にして個人情報データベース３０２への記憶が完了すると、制御手段３０３は、通信手段３０４を制御して、院内ＬＡＮ１経由で更新記録が完了した事を示す情報を医師用端末５へ送信する（Ｓ３０１１）。
【００６１】
この情報を受信した医師用端末５は（Ｓ３０１２）、図２４に示すように、システムに情報が記録された事を示す情報を表示し（Ｓ３０１３）、他の処理へ移行する（Ｓ３０１４）。
【００６２】
なお、医療管理サーバ１１の制御手段３０３は、Ｓ３００８のチェック処理の結果、記載内容に不備があると判断した場合（Ｓ３００９）、通信手段３０４を制御し、院内ＬＡＮ１を経由して、受付端末７に対し、カルテ情報にエラーがあることを示す情報を送信する（図２５：Ｓ３０１５）。
【００６３】
この情報を受信した医師用端末５は（Ｓ３０１６）、図２６に示すように、エラー及び、再入力するか否かの選択を示唆する画面を表示する（Ｓ３０１７）。
【００６４】
ここで、医師が医師用端末５に入力を行うと（Ｓ３０１８）、その医師用端末５は、その入力が再入力を行う事を選択する事を意味する入力であるか判定し（Ｓ３０１９）、再入力を意味する入力でなければ他の処理へ移行し（Ｓ３０２０）、再入力を意味する入力であれば、Ｓ３００４へ移行、即ち、カルテ情報を再度入力する一連の処理を再度行う事となる。
【００６５】
この様にして、自動販売機の商品に対する成分情報が自動販売機９・１０及び医療管理サーバ１１に記憶され、患者のカルテ情報（食事制限情報）が医療管理サーバ１１に記憶されている情報とが記憶される事になる。この状況において、患者が自動販売機９もしくは自動販売機１０で商品を購入する場合の本システムの処理について、図２７のフローチャートを用い、説明する。本処理も、上記と同様自動販売機９を例に説明を行うが、本処理は自動販売機１０においても変わらない。
【００６６】
まず、自動販売機９はＩＣカード１２が差し込まれたか否かを継続的に監視している（Ｓ４００１・Ｓ４００２）。ここで、ＩＣカード１２が差し込まれない限り、購入に関する処理は行わないようにする事で、患者がＩＣカード１２を差し込まずに購入できてしまう事を防止する。
【００６７】
カードが差し込まれたことが検出された後（Ｓ４００２）、購入希望者が商品ボタン１０２のうち何れかを押下すると（Ｓ４００３）、自動販売機９の自動販売機制御手段１１９は、カードリーダ１０４及び通信制御手段１１６とを制御し、ＩＣカードに記憶されている患者ＩＤと、押下された商品ボタン１０２に対応する商品情報とを院内ＬＡＮ１を経由して、医療用サーバ１１へ送信する（Ｓ４００４）。この情報を通信手段３０４を介して受信した医療管理サーバ１１の制御手段３０３は（Ｓ４００５）、商品情報データベース３０１より受信した商品番号の成分情報を抽出し（Ｓ４００６）、また、個人情報データベース３０２より受信した患者ＩＤに対応する患者情報を抽出する（Ｓ４００７）。
【００６８】
次に、制御手段３０３は、抽出した商品の各成分について、成分情報での成分量と患者情報にある現在摂取量とを加算した値と、１日摂取限界量とを比較し、全成分項目が許容範囲内であるかをチェックする（Ｓ４００８）。
【００６９】
制御手段３０３は、ここで、全ての成分項目において許容内であった場合、個人情報データベース３０２内の患者情報の各成分の現在摂取量に商品情報で抽出した成分情報の各項目の量を加算する更新処理を行う（Ｓ４００９）。
【００７０】
制御手段３０３は、この更新処理が完了すると通信手段３０４を制御し、院内ＬＡＮ１経由で自動販売機９へ販売許可を示す情報を送信する（Ｓ４０１０）。
【００７１】
この情報を通信制御手段１１６経由で受信した自動販売機９の自動販売機制御手段１１３は（Ｓ４０１１）、カードリーダ１０４を制御してＩＣカード１２よりクレジット情報を抽出する（図２８：Ｓ４０１２）。
【００７２】
次に自動販売機制御手段１１３は、通信制御手段１１６を制御して、クレジット情報に商品引き落とし額を付した情報を、クレジット自動決済サーバ４へ送信する処理を行う（Ｓ４０１３）。この情報は院内ＬＡＮ１・ゲートウエイ２・外部ネットワークを経由しクレジット自動決済サーバ４へ送られる。
【００７３】
この情報を受信したクレジット自動決済サーバ４は（Ｓ４０１４）、所定の決済処理を行ったあと（Ｓ４０１５）、この決済が完了したことを示す通知を自動販売機９へ送信する処理を行う（Ｓ４０１６）。この通知は、外部ネットワーク３・ゲートウエイ２・院内ＬＡＮを経由して自動販売機９へ届けられ、この情報を通信制御手段１１６経由で受信した自動販売機９の自動販売機制御手段１１３は（Ｓ１０１７）、商品排出機構部１１７を制御して、該当商品の排出処理を行い（Ｓ４０１８）、図２７のフローチャートのＳ４００１の以降の処理を行う。
【００７４】
また、図２７のフローチャートのＳ４００８において、医療管理サーバ１１の制御手段３０３は、チェックの結果、許容量を超えるものがあった場合、通信手段３０４を制御して、院内ＬＡＮ１経由で自動販売機に対し、販売禁止通知を送信する（図２９：Ｓ４０１９）。この情報を通信制御手段１１６経由で受信した自動販売機９の自動販売機制御手段１１６は（Ｓ４０２０）、図３０に示すように、ディスプレイ１０５に販売が禁止である旨の表示を行い（Ｓ４０２１）図２７のＳ４００１へ処理を移行する。これにより、許容範囲を超える成分があれば、その商品の販売は行われない。
【００７５】
上記した患者情報は、１日あたりの各成分の許容量として記憶されているため、日付が更新されるたびに、医療管理サーバ１１の各患者の患者情報に含まれる許容量情報を更新する必要がある。この更新処理について図３１のフローチャートを基に説明する。
【００７６】
医療管理サーバ１１の制御手段３０３は、タイマ３０５の時刻情報を随時参照しており、更新時刻（例えば、日が変わるＡＭ０：００か否か）を確認している（Ｓ５００１）。ここで更新時刻でなければ、他の処理へ移行する（Ｓ５００２）。逆に更新時刻であれば、制御手段３０３は個人情報データベース３０２に記憶されている患者情報のうち１つを抽出し、個人情報の各成分項目の現在摂取量情報を０にする更新する処理を行う（Ｓ５００３）。
【００７７】
その後制御手段は、全部の患者情報について更新できたかチェックし、完了するまで該処理を繰り返す。（Ｓ５００４）
（付記１）
自動販売機で販売される商品の成分情報を記憶する成分情報記憶手段と、各個人ごとに決められた該成分に対する摂取限界量を記憶する個人情報記憶手段とを有するコンピュータシステムが、
自動販売機で取得した利用者の個人情報と利用者が選択した商品情報を受信する受信ステップと、
前記受信ステップにて受信した個人情報を前記個人情報記憶手段から読み出すとともに、前記受信ステップにて受信した成分情報を基に、前記成分情報記憶手段から該当商品の成分情報を読み出す読み出しステップと、
前記読み出しステップにて読み出された個人情報及び成分情報を基に自動販売機における商品排出の可否を判断し、自動販売機へ判断結果を通知する判断ステップと
を実行する事を特徴とする販売管理方法
（付記２）
前記個人情報記憶手段はさらに、各個人情報として過去の各成分における摂取情報を記憶しており、
前記コンピュータシステムは、
前記判断ステップにおいて、該個人情報のうち過去の摂取情報と商品の成分情報とを加算した値が、いずれも該個人情報含まれる摂取限界量に達していないとき、前記加算した値を過去の摂取情報として、該個人情報の更新を行うとともに商品排出を許可し、達していれば商品排出を許可しない
事を特徴とする付記１に記載の販売管理方法。
【００７８】
（付記３）
前記コンピュータシステムは更に、時刻情報を出力するタイマを有し、
更に前記コンピュータシステムは、
前記タイマによる時刻情報が所定の時刻情報である場合、前記個人情報の過去の各成分の摂取量情報を０に戻す処理を行う事を特徴とする付記２に記載の販売管理方法。
【００７９】
（付記４）
自動販売機で販売される商品の成分情報を記憶する成分情報記憶手段と、
各個人ごとに決められた該成分に対する摂取限界量を記憶する個人情報記憶手段と、
自動販売機で取得した利用者の個人情報と利用者が選択した商品情報を受信する受信手段と、
前記受信手段が受信した個人情報を前記個人情報記憶手段から読み出すとともに、前記受信ステップにて受信した成分情報を基に、前記成分情報記憶手段から該当商品の成分情報を読み出す読み出し手段と、
前記読み出しステップにて読み出された個人情報及び成分情報を基に自動販売機における商品排出の可否を判断し、自動販売機へ判断結果を通知する制御手段と
を有する事を特徴とする自動販売機システム
（付記５）
前記個人情報記憶手段はさらに、各個人情報として過去の各成分における摂取情報を記憶しており、
前記制御手段は、該個人情報のうち過去の摂取情報と商品の成分情報とを加算した値が、いずれも該個人情報含まれる摂取限界量に達していないとき、前記加算した値を過去の摂取情報として、該個人情報の更新を行うとともに商品排出を許可し、達していれば商品排出を許可しない処理を行う
事を特徴とする付記４に記載の自動販売機システム。
【００８０】
（付記６）
更に、時刻情報を出力するタイマを有し、
前記制御手段は更に、前記タイマによる時刻情報が所定の時刻情報である場合、前記個人情報の過去の各成分の摂取量情報を０に戻す処理を行う事を特徴とする付記５に記載の自動販売機システム。
【００８１】
（付記７）
自動販売機で販売される商品の成分情報を記憶する成分情報記憶手段と、各個人ごとに決められた該成分に対する摂取限界量を記憶する個人情報記憶手段とを有するコンピュータを、
自動販売機で取得した利用者の個人情報と利用者が選択した商品情報を受信する受信手段と、
前記受信手段が受信した個人情報を前記個人情報記憶手段から読み出すとともに、前記受信ステップにて受信した成分情報を基に、前記成分情報記憶手段から該当商品の成分情報を読み出す読み出し手段と、
前記読み出しステップにて読み出された個人情報及び成分情報を基に自動販売機における商品排出の可否を判断し、自動販売機へ判断結果を通知する制御手段と
して機能させるプログラム。
【００８２】
（付記８）
前記コンピュータの前記個人情報記憶手段はさらに、各個人情報として過去の各成分における摂取情報を記憶しており、
前記コンピュータが前記制御手段として機能する際、該個人情報のうち過去の摂取情報と商品の成分情報とを加算した値が、いずれも該個人情報含まれる摂取限界量に達していないとき、前記加算した値を過去の摂取情報として、該個人情報の更新を行うとともに商品排出を許可し、達していれば商品排出を許可しない処理を行わせる
付記７に記載のプログラム。
【００８３】
（付記９）
前記コンピュータは、更に、時刻情報を出力するタイマを有し、
前記コンピュータが前記制御手段として機能する際、更に、前記タイマによる時刻情報が所定の時刻情報である場合、前記個人情報の過去の各成分の摂取量情報を０に戻す処理を行付記８に記載のプログラム。
【図面の簡単な説明】
【００８４】
【図１】本発明の実施の形態における自動販売機システムのシステム構成図
【図２】本発明の実施の形態における自動販売機の外観図
【図３】本発明の実施の形態における自動販売機の外観図
【図４】本発明の実施の形態における自動販売機のブロック図
【図５】本発明の実施の形態におけるハンディターミナルの外観図
【図６】本発明の実施の形態におけるハンディターミナルの使用状態を示す図
【図７】本発明の実施の形態におけるハンディターミナルのブロック図
【図８】本発明の実施の形態におけるハンディターミナルの商品情報記憶手段に記憶されている商品情報を示したテーブル図
【図９】本発明の実施の形態で使用されるＩＣカード１２の外観図
【図１０】本発明の実施の形態の処理を示すフローチャート
【図１１】本発明の実施の形態におけるハンディターミナルのディスプレイの表示を示した図
【図１２】本発明の実施の形態におけるハンディターミナルのディスプレイの表示を示した図
【図１３】本発明の実施の形態における自動販売機の成分情報記憶手段及び商品情報データベースに記憶されている情報のを示したテーブル図
【図１４】本発明の実施の形態におけるハンディターミナルのディスプレイの表示を示した図
【図１５】本発明の実施の形態の処理を示すフローチャート
【図１６】本発明の実施の形態における受付端末の表示を示した図
【図１７】本発明の実施の形態における受付端末の表示を示した図
【図１８】本発明の実施の形態の処理を示すフローチャート
【図１９】本発明の実施の形態における受付端末の表示を示した図
【図２０】本発明の実施の形態で使用されるＩＣカードの記憶状態を示したテーブル図
【図２１】本発明の実施の形態の処理を示すフローチャート
【図２２】本発明の実施の形態における医師用端末の表示を示した図
【図２３】本発明の実施の形態における医療管理サーバの個人情報データベースに蓄積されている情報を示したテーブル図
【図２４】本発明の実施の形態における医師用端末の表示を示した図
【図２５】本発明の実施の形態の処理を示すフローチャート
【図２６】本発明の実施の形態における医師用端末の表示を示した図
【図２７】本発明の実施の形態の処理を示すフローチャート
【図２８】本発明の実施の形態の処理を示すフローチャート
【図２９】本発明の実施の形態の処理を示すフローチャート
【図３０】本発明の実施の形態における自動販売機のディスプレイの表示を示した図
【図３１】本発明の実施の形態の処理を示すフローチャート
【符号の説明】
【００８５】
１      院内ＬＡＮ
２      ゲートウエイ
３      外部ネットワーク
４      クレジット自動決済サーバ
５      医師用端末
６      カードリーダ
７      受付端末
８      カードリーダ
９      自動販売機（飲料）
１０    自動販売機（タバコ）
１１    医療管理サーバ
【図１】
2005100158.tif 000003
【図２】
2005100158.tif 000004
【図３】
2005100158.tif 000005
【図４】
2005100158.tif 000006
【図５】
2005100158.tif 000007
【図６】
2005100158.tif 000008
【図７】
2005100158.tif 000009
【図８】
2005100158.tif 000010
【図９】
2005100158.tif 000011
【図１０】
2005100158.tif 000012
【図１１】
2005100158.tif 000013
【図１２】
2005100158.tif 000014
【図１３】
2005100158.tif 000015
【図１４】
2005100158.tif 000016
【図１５】
2005100158.tif 000017
【図１６】
2005100158.tif 000018
【図１７】
2005100158.tif 000019
【図１８】
2005100158.tif 000020
【図１９】
2005100158.tif 000021
【図２０】
2005100158.tif 000022
【図２１】
2005100158.tif 000023
【図２２】
2005100158.tif 000024
【図２３】
2005100158.tif 000025
【図２４】
2005100158.tif 000026
【図２５】
2005100158.tif 000027
【図２６】
2005100158.tif 000028
【図２７】
2005100158.tif 000029
【図２８】
2005100158.tif 000030
【図２９】
2005100158.tif 000031
【図３０】
2005100158.tif 000032
【図３１】
2005100158.tif 000033